(57)【特許請求の範囲】
【請求項１】
ハウスの妻面に併設した炭酸ガス発生装置本体上で、かつこの本体に連設した吹出口機構であって、
この吹出口機構は、その一方及び他方に設けた、ハウス内に向かって開口した第１吹出口及び第２吹出口と、
を備えた構成であり、
前記第１吹出口は、前記吹出口機構の一方に設けた第１吹出筒部の側面上側に開口するとともに、この第１吹出筒部の側面下側は板部で塞いで形成した第１開口とし、
前記本体内で発生する高温燃焼ガスを、前記吹出口機構の他方に設けた第２吹出筒部に至らしめるとともに、この高温燃焼ガスを、この第２吹出筒部の側面下側に設けた整流板による対流で、前記第１吹出筒部に向かって送るとともに、降温し、
前記第２吹出口は、片流れ形態の天上部を備えた前記第２吹出筒部の側面に形成するとともに、この第２吹出筒部の底部の開口端に基端を備え、かつ前記開口端より内方に向かって上向きに傾斜した前記整流板を付設し、この整流板を利用し、この第２吹出筒部からの前記高温燃焼ガスを、前記第１吹出筒部の前記側面下側に送りつつ、前記降温を図る、
構成とする炭酸ガス発生装置の吹出口機構。
【発明の詳細な説明】
【技術分野】
【０００１】
本発明は、炭酸ガス発生装置の吹出口機構に関する。
【背景技術】
【０００２】
炭酸ガス発生装置の吹出口機構に関し、本出願人は、有益性が有る提案をしている。即ち、特開２０１４−１２１２９０号公報である（文献（１）とする）。この発明は、不完全燃焼によるＣＯ２（炭酸ガス）の異常発生を抑制しつつ、内気との混合、又はＣＯ２の排気で、濃度・温度の適正化を図ることを意図する。しかし、吹出口を利用しつつ、かつ吹出温度の適正化を、物理的に調整することに関しては、更なる改良が望まれるものと思料される。
【０００３】
この吹出口を利用しつつ、かつ吹出温度の適正化を図るための手法として、吹出口を、対で設けることが、合理的で、かつ効果の有効性が考えられる。
【０００４】
この考え方に立ち、先行文献を挙げると、実開昭４８−３６０４８号公報に記載の考案がある（文献（２）とする）。この考案は、ダクトに二つの排気口（分岐ダクト）を有する構造であるが、炭酸ガスボンベの炭酸ガスを利用するものであり、炭酸ガスの温度に関しての取扱いはなく、単に分岐ダクトを利用して、当該炭酸ガスを分散するものと考えられる。また、実開昭５３−５４８３９号公報に記載の考案がある（文献（３）とする）。この考案は、暖房機と炭酸ガス発生装置の組合せであり、共通する灯油使用を利用し、暖房機のダクトに弁を設け、この弁の制御で、暖房機の使用中に発生する炭酸ガスを、ハウス内に排出する構造である。従って、暖房機の稼働が必須であり、利用期間が限定されることと、汎用性に欠けることが考えられる。
【０００５】
【特許文献１】特開２０１４−１２１２９０号公報
【特許文献２】実開昭４８−３６０４８号公報
【特許文献３】実開昭５３−５４８３９号公報
【発明の概要】
【発明が解決しようとする課題】
【０００６】
前述した各文献は、対の吹出口（吐出口）を備えた構造であるが、吹出口からのＣＯ２温度に関する配慮が欠けており、作物の焼きつき（所謂、高温障害）が発生し易いと考えられる。
【０００７】
併せて、吹出口と、その奥面側は、単に、円形か角形でなる筒形状であり、例えば、ＣＯ２の吹出量（吐出量）、吹出温度（吐出温度）、及び／又は、その距離（吐出距離）とか、その方向性（吐出方向性）等に関し、特段の配慮がなく、作物に対し、有効性が劣ることが考えられる。
【０００８】
さらに、ハウス内のＣＯ２ムラは作物生育の効率、及び／又は、収穫量の低下をもたらすので、ハウスの両サイド・中心部・炭酸ガス発生装置から遠い所等、数カ所にセンサを設置確認し、ＣＯ２分布を均一に配置する必要性がある。
【課題を解決するための手段】
【０００９】
上記に鑑み、本発明では、下記のような内容を意図し、請求項１〜請求項２を開示する。
【００１０】
「Ａ」  本発明では、対の吹出口の少なくとも、第２吹出口に、整流板を設け（例えば、第２吹出部位の底部に上向き傾斜となった整流板を設け）、この第１吹出口に、対峙して第２吹出口を設けた構造であって、第１・第２吹出口からのＣＯ２温度を、例えば、定型式にコントロールし（極度の高温としないことで）、作物の焼きつきを回避できる。  上記に鑑み、本発明では、下記のような内容を意図し、請求項１〜請求項２を開示する。
【００１１】
「Ｂ」  本発明では、対の吹出口の少なくとも、第２吹出口に、整流板を設け、第２吹出口の奥面側は、円形か角形でなる筒形状とする構造であって、例えば、第１・第２吹出口からのＣＯ２の吹出量、吹出温度、及び／又は、その距離とか、その方向性等に関し、有効な構造を提案でき、もって、作物に対し、有効性を備える。
【００１２】
「Ｃ」  本発明では、対の吹出口の少なくとも、第２吹出口に、整流板を設け、第２吹出口の奥面側は、円形か角形でなる筒形状とする構造とするとともに、ハウスの両サイド・中心部・炭酸ガス発生装置から遠い所等、数カ所にセンサを設置し、かつ第１・第２吹出口からの略均等なＣＯ２の吹出を確保し、ＣＯ２分布を略均一化（ＣＯ２ムラを無くす）することで、作物生育の効率、及び／又は、収穫量の向上が図れること、等の特徴がある。
【発明の効果】
【００１３】
請求項１の発明は、
ハウスの妻面に併設した炭酸ガス発生装置本体上で、かつこの本体に連設した吹出口機構であって、
この吹出口機構は、その一方及び他方に設けた、ハウス内に向かって開口した第１吹出口及び第２吹出口と、
を備えた構成であり、
第１吹出口は、吹出口機構の一方に設けた第１吹出筒部の側面上側に開口するとともに、この第１吹出筒部の側面下側は板部で塞いで形成した第１開口とし、
本体内で発生する高温燃焼ガスを、吹出口機構の他方に設けた第２吹出筒部に至らしめるとともに、この高温燃焼ガスを、この第２吹出筒部の側面下側に設けた整流板による対流で、第１吹出筒部に向かって送るとともに、降温し、
第２吹出口は、片流れ形態の天上部を備えた第２吹出筒部の側面に形成するとともに、この第２吹出筒部の底部の開口端に基端を備え、かつ開口端より内方に向かって上向きに傾斜した整流板を付設し、この整流板を利用し、この第２吹出筒部からの高温燃焼ガスを、第１吹出筒部の側面下側に送りつつ、降温を図る、
構成とする炭酸ガス発生装置の吹出口機構であり、
第１・第２吹出口からのＣＯ２の吹出量、吹出温度、及び／又は、その吐出距離、その吐出方向性に関し、有効な構造を提案でき、もって、作物に対し、有効性を備える。
【００２１】
請求項２の発明は、第１吹出口と第２吹出口を、ハウスの妻面に沿って設置した構造とする炭酸ガス発生装置の吹出口機構であり、
第１・第２吹出口からのＣＯ２の吐出距離、又は吐出方向性に関し、有効な構造を提案できる。
【図面の簡単な説明】
【００２２】
【図１】吹出口機構を備えた炭酸ガス発生装置を、ハウスに設置した状態の縮尺した俯瞰図
【図２】整流板を備えた第１吹出口と第２吹出口を有する吹出口機構を備えた炭酸ガス発生装置の一部欠截の全体正面図
【図２−１】第１吹出口を示した、図２の左側面図
【図２−２】第２吹出口を示した、図２の要部右側面図
【図３】温風室の温風の流れと、内気の流れと、そのミキシングとの関係を説明する断面模式図
【図４】整流板の他の実施例（可動式）を示した断面図
【発明を実施するための形態】
【００２３】
以下、本発明の好ましい、一実施例を説明する。
【００２４】
図１等に示した炭酸ガス発生装置Ａは、ハウスＨの妻面Ｈ１に併設するように配置する。炭酸ガス発生装置Ａを説明すると、炭酸ガス発生装置Ａは、長方形状の本体１と、本体１の上に連通した温風室２とで構成されており、本体１の上方開口１ａは、温風室２の下方開口２ａと連通している。従って、後述するように、缶体１００で生成された燃焼ガスＢが、温風室２（燃焼ガス室）に送られる。
【００２５】
この本体１の中心（一例である）には、その内周面に空間領域Ａ１（本体１の内周面と缶体１００との間の領域）を設けて燃焼室である缶体１００が設けられている。缶体１００の側面（図１において、左方向）には、バーナー１０１の噴射口が設けられる。また、この缶体１００の上部には、上方（図１において、向かって上方向）に向かった燃焼ガスの排出管１０２（拡散用傘付き）が設けられる。この缶体１００の下部には（図２において、向かって下方向）、送風機１０３が設けられている。図中１０４は燃料を送るポンプ、１０５は缶体１００の下部壁板に複数個設けた空気取入れ孔１０５であり、この缶体１００にハウス内（外）の空気を取入れる。図中１０６は制御装置を示す。この制御装置１０６は、バーナー１０１、送風機１０３、又はポンプ１０４等のコントロールをする。
【００２６】
また、温風室２は、図３において、図面に向かって、左側の第１吹出口２００（第１開口）と、同右側の第２吹出口２０１（第２開口）とを備えており、この第１吹出口２００は、第１吹出筒部２００−１の下側を板部２００ａで塞ぎ、残りの上側に第１開口を形成する。また、第２吹出口２０１は、第２吹出筒部２０１−１の天上部を収れん形状のテーパー２０１−１ａとして形成するとともに、第２吹出筒部２０１−１の底部２０１−１ｄの第２開口端より内方に向かって、かつ上向き傾斜とした整流板２０２を設ける。整流板２０２は、第２吹出口２０１の吹出方向と直交する方向に設けられており、その両端部は第２吹出筒部２０１−１の両側面２０１−１ｂ、２０１−１ｃに到る。即ち、整流板２０２は、例えば、第２吹出筒部２０１−１の底部２０１−１ｄを流れる高温の燃焼ガスＢを、いきなり、第２吹出口２０１よりハウスＨの作物に送らず、一時的にガードして、第１吹出口２００に向かって追いやり、望ましくは、この第１吹出口２００までに、高温の燃焼ガスＢを、低い温度にし（降温し）、最適な温度（適温）にして、ハウスＨの作物に送るとともに、この第１吹出口２００の高さまで送る役割を担う構造である。そのために、前述の如く、第１吹出口２００を第１吹出筒部２００−１の上側（上方）に開口する。尚、第１吹出口２００には、空気取入れ孔１０５より吸込んだハウスＨ内の空気の一部が、缶体１００の前側（図２において、同向かって左側１００ａ）とバーナー１０１の本部との隙間３を通る比較的、低温の空気が、上方開口１ａと下方開口２ａを経由して、温風室２内に到ることから、この空間領域Ａ１の高温の燃焼ガスＢとミキシングされ温度が下がり、所謂、適温の燃焼ガスＢとして、ハウスＨの作物に送ることができる。尚、適温の燃焼ガスＢとする他の手段は、第１吹出口２００を、第１吹出筒部２００−１の上側に開口し、空間領域Ａ１の高温の燃焼ガスＢの滞留時間を稼ぐ構造とする（温風室２に残存等する高温の燃焼ガスＢの降温等のタイミングを図る）。
【００２７】
図中１０７は火炎を示す。また、図４の可動式の整流板２０２は、その第２開口側の下端部位を、底部２０１−１ｄに枢支した構造であり、手動、又は自動等の機構を介して、略９０°の範囲内で、可動する。これによって、適温（及び／又は適量）のＣＯ２を、ハウスＨの作物に送ることができる。
【００２８】
以下、本体１を流れる空気Ｃ、燃焼ガスＢ、並びにＣＯ２等の流れを説明すると、バーナー１０１をＯＮすると、その火炎１０７が缶体１００に噴射され、この缶体１００内において燃焼ガスＢが生成される燃焼時においては、空気取入れ孔１０５より吸込まれたハウスＨ内の空気Ｘは、送風機１０３により、空間領域Ａ１に到った後、上昇し、排出管１０２より排出された燃焼ガスＢと混合、かつ降温し、適温のＣＯ２に変換して、上方開口１ａと、下方開口２ａを経由して、温風室２に導く。その後、第１吹出口２００と第２吹出口２０１から、加速された状態で、温風室２に吹き出される。
【００２９】
温風室２においては、下方開口２ａから送られたＣО２を、第１吹出口２００と第２吹出口２０１とに、それぞれ送るが、前述の如く、第１吹出口２００と第２吹出口２０１との、それぞれの高さの違い（第１吹出口２００が高く「板部２００ａあり」、これに対して、第２吹出口２０１が低い「テーパー２０１−１ａあり」）と、位置の違い（開口高さの違い）と、整流板２０２の設置とを利用し、第１吹出口２００と第２吹出口２０１とから、同じ温度のＣО２を略均等に吹き出し、かつ望ましくは、略均等な送風スピード、及び／又は、略均等な送風量を確保する。
【００３０】
前記適温のＣО２は、必要時に、ハウスＨの作物に供給する。
【００３１】
尚、センサはハウスＨの適所に設けるが図示しない。
【００３２】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３３】
１            本体
１ａ          上方開口
１００        缶体
１００ａ      左側
１０１        バーナー
１０２        排出管
１０３        送風機
１０４        ポンプ
１０５        空気取入れ孔
１０６        制御装置
１０７        火炎
２            温風室
２ａ          下方開口
２００        第１吹出口
２００−１    第１吹出筒部
２００ａ      板部
２０１        第２吹出口
２０１−１    第２吹出筒部
２０１−１ａ  テーパー
２０１−１ｂ  側面
２０１−１ｃ  側面
２０１−１ｄ  底部
２０２        整流板
３            隙間
Ａ            炭酸ガス発生装置
Ａ１          空間領域
Ｂ            燃焼ガス
Ｃ            空気
Ｈ            ハウス
Ｈ１          妻面
Ｘ            空気
【図１】
0006847586.tif 000002
【図２】
0006847586.tif 000003
【図２−１】
0006847586.tif 000004
【図２−２】
0006847586.tif 000005
【図３】
0006847586.tif 000006
【図４】
0006847586.tif 000007